(57)【要約】電気泳動表示装置（１）は、電気泳動媒体を伴なう少なくとも１つの画素（１０）、及び少なくとも２つの電極（６、７）、並びに画素を異なる光学状態にすることができ電極間に電圧差を印加するためのアプリケータ手段を有する駆動手段（４）を有する。セルのグレーレベルはセルに一定低電圧を供給することによって設定される。パルス電圧は、好適実施例で、グレーレベルを意図するレベルにするために使用することができる。
2005524865.tif 000002
【特許請求の範囲】
【請求項１】
電気泳動媒体を伴なう少なくとも１つの画素、及び少なくとも２つの電極、並びに前記画素を異なる光学状態にすることができ前記電極間に電圧差を印加するためのアプリケータ手段を有する駆動手段を有する電気泳動表示装置であって、
前記アプリケータ手段は、セルに一定低電圧を供給することによって前記セルのグレースケールを設定する、電気泳動表示装置。
【請求項２】
前記アプリケータ手段は、セルの一定低電圧を供給することによって前記セルのグレースケールを設定する前に、グレーレベルを前のレベルから平衡レベルに相対的に近い変化レベルに変化させるためにパルス電圧を印加する、請求項１の電気泳動表示装置。
【請求項３】
前記パルス電圧は、前記グレーレベルを、前記前のレベルと前記平衡レベルとの間の中間の変化レベルにする請求項２に記載された電気泳動表示装置。
【請求項４】
前記パルス電圧は前記グレーレベルを（前記前のレベルから見て）前記平衡レベルを超えるように変化させ、前記前のレベル及び変化レベルは５０％のレベルマークの両側に存在している請求項２に記載の電気泳動表示装置。
【発明の詳細な説明】
【技術分野】
【０００１】
本発明は、電気泳動媒体を伴なう少なくとも１つの画素、及び少なくとも２つの電極、並びに前記画素を異なる光学状態にすることができ前記電極間に電圧差を印加するためのアプリケータ手段を有する駆動手段を有する電気泳動表示装置に関する。電極（又はスイッチング電極）がこの出願に言及される場合、それは、要すれば、全く同一の電圧が外部から又はスイッチング素子を通じて供給される複数のサブ電極に分割することができる。
【背景技術】
【０００２】
電気泳動表示装置は、異なる透過率又は反射率を有する２つの極状態の間の電界の影響を受けた、帯電され、通常は着色された粒子の運動に基づいている。これらの表示装置では、暗い（着色した）キャラクタを明るい（着色した）背景に映すこと及びその逆を行うことができる。  
【０００３】
従って、電気泳動表示装置が、「ペーパーホワイト」アプリケーション（電子新聞、電子日記）と呼ばれる紙の機能を引き継ぐ表示装置に特に使用されている。
【０００４】
スイッチング電極間に電気泳動媒体を有する既知の電気泳動表示装置では、スイッチング電極に駆動電圧が供給される。そして、画素を特定の光学状態にすることができる。スイッチング電極の１つは、例えば、表示素子の上側に、相互接続された２つの狭い導電ストリップとして実現される。表示素子の底面全体を覆う下部電極に対してこのスイッチング電極に印加された正の電圧で、帯電粒子（この例では負に帯電されている）は、相互接続された２つの狭い導電ストリップによって規定される電位面に移動する。（負に）帯電された粒子は、帯電された粒子の色を呈する表示素子（画素）の前面に渡って広がる。下部電極に対してこのスイッチング電極に印加された負の電圧で、（負に）帯電された粒子は、表示素子（画素）が液体の色を呈するように底面に渡って広がる。あるいは、電気泳動媒体は、透明な流体に異なる電荷を伴なう異なる着色粒子を有することができる。この状況では、画素の色は、視野面から見ることができる着色粒子の割合によって規定される。
【０００５】
中間光学状態（グレー値と呼ばれる）を表示することも行うことができる。このために、電圧パルスがセルに印加され、電圧パルスの時間長がグレーレベルを決定する。
【０００６】
異なる型式の電気泳動ディスプレイが知られており、先ず第一に、帯電粒子が垂直に動く型式（画素の面を横切り２つの連続する電極によって駆動される）、帯電粒子が水平に動く型式（In-Plane）がある。
【０００７】
これらのディスプレイは一般に妥当に機能するが、電気泳動ディスプレイの最も重要な特性のうち、表示画像に信頼できるグレースケールを得ることは、難しい傾向にある。本発明の概念では、「グレースケール」は、極値の間にセルが得ることができる輝度又は色値と理解すべきである。白と黒との間で切替可能なセルでは、グレースケールは中間調を表すが、セルが２つの他の色（一方は、例えば液体の色、他方は帯電粒子の色）の間で切り替えられる場合、グレースケールはこの極値の間のカラーレンディション（color rendition）を表す。
【発明の開示】
【発明が解決しようとする課題】
【０００８】
本発明の目的は、ディスプレイのグレースケール表示品質を向上させることにある。
【課題を解決するための手段】
【０００９】
本発明による電気泳動表示装置では、アプリケータ手段が、セルに一定低電圧を供給することによってセルのグレースケールを設定する。
【００１０】
本発明の概念における低電圧は、通常のディスプレイで使用される（典型的には１０ボルトより高い）時間依存セッティング電圧又はリセッティング電圧よりも低い電圧を意味する。
【００１１】
本発明は、電気泳動ディスプレイでは、一定低電圧が印加されると、セル内の系、即ち液体及び帯電粒子の組合せが、平衡グレーレベルに向かう傾向があり、これは、駆動電圧を長く印加したとしてもそれ以降一定のままであるという認識に基づく。斯かる電圧は典型的には５ボルトよりも低い。低電圧は、本発明の概念において、グレーレベルを（時間依存パルス電圧を用いて）設定するために通常印加されるよりも低い電圧を意味する。
【００１２】
本発明は、時間依存グレースケールセッティングパルス電圧に対して、それらはグレースケールを設定するけれども、設定されたグレースケールと実際のグレースケールとの間の関係は多くの要因に依存し、このことは、実際のグレースケールと意図したグレースケールとの間に大きな食い違いが存在する可能性を強める。既知の方法はグレースケールを発生させるが、その欠点は、それが、グレースケールを実現するためにパルスのタイミング及び高さに依存するということである。帯電粒子の動きを変更する何かが発生すると、例えば、温度変化による液体及び／若しくは粒子の粘度若しくは誘電率の変化、又は温度変化によるパルスの高さ若しくはパルスの長さの変化、又は不完全なリセットパルス）、実際のグレースケールは、意図したグレースケールとは異なる、即ち不適切である。
【００１３】
平衡状態、即ち本発明のように低い一定電圧を印加することによって設定される状態においてグレースケールレベルを使うことは、これらの依存性を除去又は少なくとも低減し、それによって、より信頼できるグレースケールレベルが得られる。温度依存性がある場合、斯かる依存性は、液体内の粒子のレオロジー的特性は重要性がより低いので、さらに小さく、従って、幾つかの依存性は、例えば、装置に温度センサを備えることによって、温度、設定電圧及びグレーレベルの間の関係を有するルックアップテーブル、及び測定された温度及びルックアップテーブルのデータに従う平衡状態低電圧を調整するためのアジャスタにより補正することがさらに容易である。
【００１４】
好適実施例では、一定低電圧をセルに与えることによってセルのグレースケールを設定する前に、グレーレベルを前のレベルから平衡レベルに近いレベルに変化させるためのパルス電圧を印加するためのアプリケータ手段が配される。
【００１５】
低印加電圧のため、新しい画像は、通常、現れるには相対的に長い期間がかかる（何秒から何分）。加えて、画像は、より高い電圧で実現されるグレースケールが最初に現れ、ばらばらに現れる。例えば、ディスプレイが最初に黒の状態にリセットされる場合、新たな画像内の最も白い画素が素早く表れ、一方、暗いグレースケールは、現れるにはより長い時間がかかる。言及された欠点を低減又は除去するために、電気泳動装置のドライビングは、オーバドライブ機能、即ち、最初にグレーレベルを望みのグレーレベルの近くに至らすためにパルス電圧を印加する装置、プログラム、又はシステムを好ましくは備える。このパルスはグレーレベルを設定するために使用されず、実際のセッティングは低電圧によって行われ、始動パルスはグレーレベルを望みの平衡グレーレベルの近くに至らすことに注意することが重要である。斯かる始動パルスを使って、規定された暗又は白の状態にリセットされたディスプレイにおいて、ディスプレイをより高い電圧で短期間（典型的に＜１秒）の間オーバードライビングすることいよって最終的な平衡アナロググレースケールへの遷移を高速に行うことが可能である。始動パルス自体は、所望のグレーレベル、及び始めの又は前のグレーレベルの環境に依存する。これは以下に更に説明される。
【００１６】
本発明のこれら及び他の態様は、以下に記載される実施例から明らかであり、これら実施例を基準にして説明される。
【発明を実施するための最良の形態】
【００１７】
図１は、本発明が適用可能なディスプレイ装置１の一部の電気的等価回路を示す。それは、行電極又は選択電極７と列電極又はデータ電極６との交差部の領域に、画素１０のマトリックスを有する。行電極１乃至ｍが行ドライバ４によって連続的に選択され、一方、列電極１乃至ｎはデータレジスタ５を通じてデータが供給される。このために、先ず、入力データ２が必要に応じてプロセッサ３で処理される。行ドライバ４とデータレジスタ５との間の相互同期は、駆動ライン８を通じて行われる。
【００１８】
行ドライバ４及びデータレジスタ５からの駆動信号は、画素１０を選択する（パッシブ駆動と呼ぶ）。既知の装置では、列電極６は、画素が交差領域において２つの極状態のうちの一方を取る（例えば、液体及び電気泳動粒子の色に依存して、黒又は着色）ような行電極７に対する電圧を得る。
【００１９】
必要であれば、行ドライバ４からの駆動信号は、ゲート電極が電気的に行電極７に接続され且つソース電極２１が電気的に列電極６に接続されている薄膜トランジスタ（ＴＦＴ）９を通じて画素電極を選択することができる（アクティブ駆動と呼ぶ）。列電極６における信号は、ＴＦＴを通じて画素１０の画素電極（ドレイン電極に結合されている）に伝送される。画素１０の他方の電極は、例えば一つ（又はそれ以上）の共通対向電極によって、例えばグランドに接続されている。図１の例では、斯かるＴＦＴ９が、１つの画素１０に対してだけ概略的に示されている。
【００２０】
本発明によるディスプレイ装置では、各画素は、他の電極と、この他の電極に電圧を供給するための駆動手段とを備えることもできる。これは図２に示されており、第３の電極６’が備えられる斯かる画素の断面が示されている。駆動手段は、例えば、データレジスタ５（及びおそらくドライバの一部）、及び追加の列電極６’（及びアクティブ駆動の場合、追加のＴＦＴ）を有する。
【００２１】
画素１０（図２）は、スイッチング電極７が備えられた（例えば、ガラス又は合成材料の）第１の基板１１、及びスイッチング電極６が備えられた第２の透明基板１２を有する。この画素は、電気泳動媒体、例えば、この例では正に帯電された黒い粒子１４を含む白いサスペンション１３で満たされている。画素は、第３の電極の電圧を通じて中間光学状態を実現するために、第３の電極６’（及び、もし必要であれば、上記のように、図２には示されていない駆動手段）が更に備えられている。
【００２２】
例えば、図２Ａでは、スイッチング電極７はグランドに接続され、一方、両方の電極６、６’は電圧＋Ｖに接続されている。黒の粒子１４（この例では正に帯電されている）は、最も低い電位の電極、この場合は電極７に向かって移動する。視野方向１５から見ると、画素は液体１３の色（この場合は、白）を有する。図２Ｂでは、スイッチング電極７はグランドに接続され、一方、両方の電極６、６’は電圧−Ｖに接続されている。正に帯電された黒の粒子１４は、最も低い電位に向かって（この場合は基板１２に平行且つ基板１２のすぐそばの、電極６、６’によって規定される電位面に向かって）移動する。視野方向１５から見ると、画素は黒の粒子１４の色を有する。  
【００２３】
図２Ｃにおいても、スイッチング電極７がグランドに接続されている。電極６は、また電圧−Ｖに接続されている。しかし、電極７と同様に、第３の電極６’はグランドに接続されている。正に帯電された黒の粒子１４は、最も低い電位、この場合は電極６の周りの領域に向かって移動する。これは、図２Ｄに示されているように、第３の電極６’が電圧＋Ｖに接続される場合に、より顕著である。視野方向１５からみると、画素は、黒の粒子１４の色を部分的に、及び白の液体の色を部分的にのみ有する。これによって、グレーの色が得られる（図２Ｃの場合ダークグレー及び図２Ｄの場合ライトグレー）。上記の実施例は、電気泳動装置の例として与えられている。幾つかの異なる型式の電気泳動装置が可能であり、型式は、帯電した粒子が上下（即ち、ディスプレイの面を横切る）又は水平（即ち、ディスプレイ装置の面に水平）に移動するものがある。これらの他の実施例では、画素を作動するために２つの電極（６，７）のみが必要である。
【００２４】
電気泳動媒体は、多くの形式で存在することができる。本発明によるディスプレイ装置は、図２Ａ乃至図２Ｃに示されているように、電気泳動媒体が２つの基板（それらの各々はスイッチング電極が備えられ、それらの基板の少なくとも１つが他の電極を備える）の間に存在する実施例を包含する。帯電した粒子は基板の間の液体に存在することができるが、あるいは、電気泳動媒体はマイクロカプセルに存在することが可能である。最初に言及されたケースでは、画素は障壁によって相互に切り離されることができる。
【００２５】
実施例では、電気泳動媒体は電極が備えられた２つの基板の間に存在する。帯電した粒子は基板の間の液体に存在することができるが、あるいは、電気泳動媒体はマイクロカプセルに存在することが可能である。最初に言及されたケースでは、画素は障壁によって相互に切り離されることができる。
【００２６】
従来の電気泳動ディスプレイ装置でグレーレベルを得るために、タイミングが取れたパルス電圧が使用される。このために、電圧パルスがセルに印加され、電圧パルスの時間長がグレーレベルを決定する。基本的には、相対的に非常に高い電圧が、最小の時間間隔ｔmin等の１倍、２倍、４倍、８倍、１６倍の長さのタイムセグメント（又は他の組合せ）に切り分けられる短い時間の間に、セルに渡って印加される。斯かる多数のタイムスロット（例えば、１３のグレーレベルを与える１＋４＋８）に渡って高いパルス電圧を印加することによって、グレーレベルが設定される。斯かる駆動方式は、ＯＬＥＤ及びＰＤＰに使用される駆動方式と同様である。斯かる方式は大部分の装置で比較的うまくいくけれども、発明者は電気泳動装置で、この方式が電気泳動装置に特有の幾つかの問題に直面することを認識した。設定されたグレースケールと実際のグレースケールとの間の関係は多くの要因に依存し、このことは、実際のグレースケールと意図したグレースケールとの間に大きな食い違いが存在する可能性を強める。既知の方法はグレースケールを発生させるが、その欠点は、それが、グレースケールを実現するためにパルスのタイミング及び高さに依存するということである。帯電粒子の動きを変更する何かが発生すると（特に、温度変化若しくはエージング作用による液体及び／若しくは粒子の粘度若しくは誘電率の変化、又は温度変化によるパルスの高さ若しくはパルスの長さの変化、又は不完全なリセットパルス）、実際のグレースケールは、意図したグレースケールとは異なる、即ち不適切である。
【００２７】
発明者は、グレーレベルを設定するために（高いパルス電圧によって）通常印加される電圧よりも低い電圧を印加すると、セル内の系が平衡グレーレベルに向かう傾向があり、これは、上記電圧を長く印加したとしてもそれ以降一定のままであることを認識した。このことは、以下の対応するサブ図に与えられる電圧の長い印加後のセルの一部の微細断面を示す図３に示されている。グレースケールは、リセットパルスの長さ、アドレシングパルスの長さ、又は液体の粘度のようなものには、基本的に依存しない。このようにして、駆動時間に依存せず従って温度により生じる粘度変化又は不完全なリセットパルスには依存しないアナロググレースケールが作られる。
【００２８】
平衡状態、即ち本発明のように低い一定電圧を印加することによって設定される状態におけるグレースケールレベルを使うことは、これらの依存性を除去又は少なくとも低減し、それによって、より信頼できるグレースケールレベルが得られる。温度依存性がある場合、斯かる依存性は、液体内の粒子のレオロジー的特性は重要性がより低いので、さらに小さく、従って、幾つかの依存性は、例えば、装置に温度センサ、温度、設定電圧及びグレーレベルの間の関係を有するルックアップテーブル、及び測定された温度及びルックアップテーブルのデータに従って平衡状態低電圧を調整するためのアジャスタにより補正することがさらに容易である。
【００２９】
好適実施例では、一定低電圧をセルに与えることによってセルのグレースケールを設定する前に、グレーレベルを前のレベルから平衡レベルに近いレベルに変化させるためのパルス電圧を印加するためのアプリケータ手段が配される。
【００３０】
低印加電圧のため、新しい画像は、通常、現れるには相対的に長い期間がかかる（何秒から何分）。加えて、画像は、より高い電圧で実現されるグレースケールが最初に現れ、ばらばらに現れる。例えば、ディスプレイが最初に黒の状態にリセットされる場合、新たな画像内の最も白い画素が素早く表れ、一方、暗いグレースケールは、現れるにはより長い時間がかかる。言及された欠点を低減又は除去するために、電気泳動装置のドライビングは、オーバドライブ機能、即ち、最初にグレーレベルを望みのグレーレベルの近くに至らすためにパルス電圧を印加する装置、プログラム、又はシステムを好ましくは備える。このパルスはグレーレベルを設定するために使用されず、実際のセッティングは低電圧によって行われ、始動パルスはグレーレベルを望みの平衡グレーレベルの近くに至らすことに注意することが重要である。斯かる始動パルスを使って、規定された暗又は白の状態にリセットされたディスプレイにおいて、ディスプレイをより高い電圧で短期間（典型的に＜１秒）の間オーバードライビングすることいよって最終的な平衡アナロググレースケールへの遷移を高速に行うことが可能である。
【００３１】
この手法は図４に示されており、これは２つの電圧印加を示し、１つは一定低電圧が印加され（点線及び上の写真）、もう１つはセルを平衡値に近く駆動するために高電圧が印加されその後一定低電圧が印加されている（太線及び下の写真）。
【００３２】
図５は、最大輝度（反射率＝１）のインクリセットから開始し、上から下に０．７５ボルト、１．５ボルト、２．２５ボルト、３ボルト、３．７５ボルト及び４．５ボルトについて小さな正のＤＣ電圧を長時間（２００秒）印加することによって作り出される一連のグレーレベルを示す。全ての場合において、平衡グレーレベルに到達する。平衡輝度は、印加された正の電圧が増加するにつれて低く（暗く）なり、一方、平衡に達する時間は増加する。図６は、黒のリセットインク（反射率＝０）から開始し、それぞれ下から上に−１．５ボルト、−２−２５ボルト、−３ボルト及び−４．５ボルトについて負のＤＣ電圧を用いた同様の実験を示す。しかし、全ての場合で、平衡値に到達する一方で、この値に到達するには相対的に長くかかる。この理由のため、好適実施例では、一定低電圧の印加は先行するオーバードライブパルスと組み合わせられる。
【００３３】
これらの実施例では、セルをその意図されたグレー値の近くに至らせすために短いドライビングパルス（「オーバードライブ」パルス）が印加され、次に規定された最終的な値を実現するためにＤＣ電圧を使う。このようにして、ユーザは早い切替えという印象を得、一方でＤＣ電圧は確実に適切なグレーレベルに到達させるようにする（但し、数秒後）。この例は図７に示されており、そこでは、０．４５のグレーレベルを発生させようと試みている。図６から、黒（反射率＝０）から始めるとき、−２．２５Ｖを印加することによって約１００秒後にこの平衡レベルを実現することが可能であることが分かる。白から始めるとき、斯かるレベルに到達するのに掛かる時間は同様である。図７では、黒から始めるとき、１６０ｍｓｅｃの間−１５Ｖのオーバードライブ電圧を先ず印加し（輝度を０．３にする）、約７秒後に同じ平衡レベルに到達させるために同じＤＣ電圧（−２．２５Ｖ）を使用した。
【００３４】
同じ図に、全く異なる初期状態、つまり白の状態から始めるときの動作も示す。一方向（この例では負）にのみＤＣ電圧が印加される実施例では、インクは最終的な輝度よりも暗い状態に駆動され、次に負の電圧を印加することによって平衡に移動する。この場合、４８０ｍｓｅｃの期間１５Ｖパルスを使用し（輝度を０．１にする）、約７秒後に同じ平衡レベルに到達するように同じＤＣ電圧（−２．２５Ｖ）を使用した。パルスの長さ及び強さは、グレーレベルが意図するグレーレベルの下に下降するように選択され、その後、同じ負のＤＣ電圧の印加がグレーレベルを意図する値に増加させる。従って、平衡に到達する時刻は、およそ１４分の１に減少した。これらの実験では、先ずセルを意図するレベルの上又は下の所望のグレーレベルの近くに至らせるために（およそ０．１５以内）先ずはオーバードライブパルスの印加、その後に正しい符号の一定ＤＣ電圧の印加により、白又は黒のレベルから始まって１０秒以内に意図したグレーレベルに到達することが可能であることが実証された。一方、好ましくは、パルスは、グレーレベルを０．０２よりも意図したグレーレベルに近づけないことが好ましい。オーバードライブパルスが弱すぎると（短時間）、セルは所望のグレーレベルから相対的に離れてしまい、最終的なレベルに１０秒間では完全には到達しない（しかし、もちろん、オーバードライブパルスが使われていない場合よりもはるかに平衡値に近い）。もちろん、オーバードライブパルスが強すぎると（結果として低すぎる輝度に終わり）、正の電圧は輝度を戻すことができない（実際、それは低い輝度の方への非常に小さいドリフトに終わる）。パルスがグレーレベルを意図したグレーレベルに近づけすぎると、パルスの後、グレーレベルは意図したグレーレベルの「不適当な側」となり、ＤＣ一定低電圧の印加は、意図したグレーレベルから離れるグレーレベルの小さいシフトという結果をもたらす可能性がある。
【００３５】
測定の第２セットでは、セルは８０ｍｓｅｃ、１５Ｖパルスで中間グレーレベル（０．６６）に駆動された。オーバードライブ及びＤＣは、この初期レベルから印加された。更なる８０ｍｓｅｃオーバードライブパルス及び２．２５ＶのＤＣの後、１６０ｍｓｅｃの単一オーバードライブパルス及び２．２５ＶのＤＣを用いた場合とちょうど同じ最終輝度（０．４５）に到達する（それは、２．２５Ｖにおいて平衡値である）。同じ一致が、他の駆動条件でも見つけられる。これは、初期のグレーレベルが最終的なグレーレベルを決定しているのではなく、印加された負の電圧が決定していることを示す。
【００３６】
最後に、黒から開始し、同じ正のＤＣ値で平衡に到達させようと試みた。これは、必ずしも成功するとは限らない。例えば、黒（０）からグレー（０．３）に切り替えようとすると、正しい平衡輝度は、オーバードライブパルスがサンプルを５０％以上の白（例えば、０．６６）になるようにした場合に発見できるだけであった。オーバードライブがこれより少ない場合、最終的なグレーレベルは非常に暗かった。我々の解釈は、この状況では、オーバードライブパルスが粒子を混合するには不十分であり（従ってかなりの粒子が互いに静電引力を感じる）ＤＣで規定されたグレーレベルのコンセプト＋オーバードライブ方式は適用しにくいということである。これは、図８に概略的に示されている。黒の状態から始めて、小さい負の電圧（図６）を印加することによって（これはある程度時間がかかる）、又はグレーレベルを所望のグレーレベル以下にするためのパルス電圧の印加と次に同じ小さい負の電圧（図７）を印加する、又はグレーレベルを５０％以上の白（＞０．５）にするために大きなパルスを印加し次に小さな正の電圧を印加することによって、多かれ少なかれダークグレー状態（０．３）に到達することができる。グレーレベルを０．３５−０．４５にするためのパルスの印加と次に小さい正の電圧を印加することによってグレーレベルを０．３にするように試みると、結果として生じるグレーレベルは実質的に０．３以下、即ち暗すぎる。そこで、好ましくは、パルス電圧は、グレーレベルを、平衡レベルを（前のレベルから見て）超えるように変化させ、前のレベル及び変化したレベルは、５０％グレーレベルマークの両側にある。黒状態から始まる例は、上に与えられた言葉に示されている。他の例が、グラフ形式であるが、図７に、白（１）の状態から始まるものが与えられている。白（１）の状態から始まり、パルスは反射率を０．１に駆動する（即ち、非常に暗いグレー、及び前のレベル（即ち、開始のレベル）から見て平衡レベル（即ち、低い一定電圧の印加によって到達すべき最後のレベル）を超える）。変化レベル（０．１）及び前のレベル（１）は、０．５ラインの反対側に位置する。
【００３７】
実施例で、特にＳＩＤ２０００のダイジェスト、ｐｐ．２４−２７「インプレーンＥＰＤの開発」に記載されているようなラテラル効果が使用されるとき、電気泳動媒体は、一方の基板がスイッチング電極及び他の電極を有する２つの基板の間に存在している。
【００３８】
実施例で、スイッチング電極をくし形及び指間とすることができ、並びに（絶縁された）他の電極の一部が２つのスイッチング電極の歯の間に位置する。あるいは、２０ｔｈＩＤＲＣ報告ｐｐ．３１１−３１４（２０００）の「New Reflective Display Based on Total Internal Reflection in Prismatic Microstructures」に記載されているように、電気泳動媒体はプリズム構造で存在することもできる。
【００３９】
本発明の保護範囲は、記述された実施例に限定されない。
【００４０】
本発明は、あらゆる新規な特徴及び特徴のあらゆる組合せにも存在する。動詞「有する」及びその活用形の使用は、請求に記載されている以外の要素の存在を排除しない。単数の要素の使用は、斯かる要素の複数の存在を排除しない。
【００４１】
本発明の概念の範囲内において、「印加するための手段」は、上（下）に与えられる典型的な実施例に制限されずに、任意の数の（アプリケータのような）ハードウェア、指定されるような電圧を印加するために設計される任意の回路又はサブ回路、及び指定される電圧を印加するために設計又はプログラムされる任意の数のソフトウェア（コンピュータプログラム又はサブプログラム又はコンピュータプログラムの集合）又はそういうものとして動作するハードウェア及びソフトウェアの組合せを有するとして理解されるべきである。
【図面の簡単な説明】
【００４２】
【図１】表示装置を概略的に示す。
【図２Ａ】異なるグレー値（中間光学状態）が実現された電気泳動表示装置の画素を示す。
【図２Ｂ】異なるグレー値（中間光学状態）が実現された電気泳動表示装置の画素を示す。
【図２Ｃ】異なるグレー値（中間光学状態）が実現された電気泳動表示装置の画素を示す。
【図２Ｄ】異なるグレー値（中間光学状態）が実現された電気泳動表示装置の画素を示す。
【図３】小さい電圧の長い印加後のセルの一部の微細図を示す。
【図４】本発明の２つの実施例におけるグレースケールの印加電圧依存性を示す。
【図５】明るい状態から始まり一定低電圧の印加によって得られるグレーレベルをグラフ形式で示す。
【図６】黒の状態から始まり一定低電圧の印加によって得られるグレーレベルをグラフ形式で示す。
【図７】明るい及び黒の状態から始まり一定低電圧が後続する短い高電圧パルスの印加によって得られるグレーレベルをグラフ形式で示す。
【図８】明るい又は黒の状態からグレーレベルを得るための好適な方法を示す。
【図１】
2005524865.tif 000003
2005524865.tif 000004
【図３】
2005524865.tif 000005
【図８】
2005524865.tif 000006
【図４】
2005524865.tif 000007
【図５】
2005524865.tif 000008
【図６】
2005524865.tif 000009
【図７】
2005524865.tif 000010
【国際調査報告】
2005524865.tif 000011
2005524865.tif 000012